(57)【特許請求の範囲】
【請求項１】
同一素材の一連生地でリフトアップ布と肩紐が形成されており、左右カップの裏面側の前中心から下辺部、側辺部および上辺部にかけてリフトアップ布を重ね外側縁のみを縫着し、そのリフトアップ布をカップ上端縁から延ばして肩紐とし、その肩紐の先部をバック布の後端縁に沿って縫着していることを特徴とするカップ付き衣類。
【請求項２】
前記カップ部は、表布と裏布とで構成し、その表布と裏布の間をポケット部としてパットを収納してあることを特徴とする請求項１に記載のカップ付き衣類。
【発明の詳細な説明】
【技術分野】
【０００１】
本発明は、ブラジャー、ボディスーツ、ブラスリップ、ブラトップス、レオタード、水着などバストカップを備えた衣類に関し、さらに詳しくは、ワイヤーを使用せずにバストの形を整えることができて着用感のよいカップ付き衣類に関するものである。
【背景技術】
【０００２】
従来、カップを備えた代表的な衣類であるブラジャーは、バストを美しく整容すると同時に、着用安定性を得るため、バストカップ周縁の下辺部から側辺部に沿って湾曲する略Ｕ字状で、断面が矩形状の金属製芯材が装着されているのが一般的である。この芯材は、平面的に形成されており、バストの膨らみによる曲面状に沿わせるものであるから、どうしてもフィット性に優れないばかりでなく、芯材が肌に当ったり、喰い込んだりするので着用感が悪いといった問題点があった。
【０００３】
そこで、着用感の良いノンワイヤーにも拘わらず、バストアップができ美しいバストラインを造形できるブラジャーが種々提案されている。その中の一つに、例えば、カップの内側面において、下辺部のみをカップの下縁部から脇側縁部にかけて縫着し、上辺部はカップ上面に掛け渡してカップ内面から浮かせた略三日月形のパワーネットからなるリフト布を設けてなるブラジャーが提案されている（例えば、特許文献１参照）。
【０００４】
このブラジャーは、パワーネットのリフト布により、脇方向へ逃げる乳房を押し上げると共に、胸中心側へ寄せて形のよいバストに補整し、カップ自体の形もノンワイヤータイプにありがちなカップの広がりをパワーネットのリフト布による収縮力で防止されると共に、パワーネットを用いたことにより通気性がよくて着用感も良好になるというものである。
【０００５】
また、同じようなブラジャーとして、左右のカップ布の下部から側部にかけてバストを支える概略三日月形のダブルアップサポートを重ね合わせ、そのダブルアップサポートの外側縁をカップ布の下側縁に縫着し、上端をストラップに連結して、上記ダブルアップサポートによる吊設力により、バストを下から持ち上げると共に、脇側から内側に寄せてバストを補整するブラジャーが提案されている（例えば、特許文献２参照）。
【０００６】
このブラジャーは、着用した場合にダブルアップサポートがバストの下側から外側に面し、ストラップでその上端が吊設された状態となり、バストを下側から持ち上げ、また側面から内側へ寄せるように機能することによって、バストの垂れ下がりおよび外側への広がりを防止するものである。
【先行技術文献】
【特許文献】
【０００７】
【特許文献１】登録第３０１６８２９号公報
【特許文献２】実開平６−４７３０３号公報
【発明の概要】
【発明が解決しようとする課題】
【０００８】
しかしながら、前記特許文献１、２のブラジャーは、ともに概略三日月形のリフトアップ布を用いているが、このリフトアップ布は伸長しやすく、サポート力が弱くて力が分散するから脇部の補整効果が劣っていた。また、リフトアップ布の先端部の位置も前中心でなく、下辺部であることからバストを下から十分に持ち上げる保持力が弱かった。さらに、バストの膨らみが小さい場合には、バストを下から上に持ち上げると共に、脇側から内側に寄せても、バスト自体小さいためにバストを豊かに見せることはできず、左右のバストの間にくっきりとした谷間を現出させることはできない。また、リフトアップ布と肩紐の素材が異なることから、パワーに差が生じ着用した時に、肩への負担が大きくなるばかりでなく、肩紐がずれ動いたりするといった問題点があった。
【０００９】
本発明は、上記のような問題点を解決することを課題として開発されたもので、バストを下から持ち上げて保持すると共に、バストが外側へ流れるのを阻止して前中心側への寄せ上げ機能を発揮し、バスト全体のボリュームアップを図って美しいバストラインを造形することができると共に、着用した時に肩紐がずれ動いたり、あるいは肩への負担が少なくなり極めて着け心地の良いカップ付き衣類を提供することを目的とするものである。
【課題を解決するための手段】
【００１０】
上記の課題を解決し、その目的を達成する手段として、本発明は、左右カップの裏面側の前中心から下辺部、側辺部および上辺部にかけてリフトアップ布を重ね外側縁のみを縫着し、そのリフトアップ布をカップ上端縁から延ばして肩紐とすると共に、さらにその肩紐の先部をバック布の後端縁に沿って後中心まで延ばし同一素材の一連生地で縫着したことを特徴とするカップ付き衣類を開発し、採用した。
【００１１】
本発明は、上記のように構成したカップ付き衣類において、前記カップ部は、表布と裏布で構成し、その表布と裏布の間をポケット部としてパットを収納してあることを特徴とするカップ付き衣類、および前記リフトアップ布は、縦方向に伸縮するが横方向に伸縮し難い布であることを特徴とするカップ付き衣類を開発し、採用した。
【発明の効果】
【００１２】
本発明によれば、左右カップの裏面の前中心から下辺部、側辺部、上辺部にかけてリフトアップ布を重ねて外側縁のみを縫着してあるから、バストを下方向から十分持ち上げて保持することができると共に、脇方向から前中心側に寄せてバストのボリュームアップを実現することができる。また、リフトアップ布をカップ上端縁から延ばして肩紐としてあるから、肩にかかる肩紐の力が軽くなって装着感がよくなる。さらに肩紐の先部をバック布の上端でなく、バック布の後端縁に沿って後中心まで縫着してあるから、肩紐に内側への引っ張り力が働き、肩紐のずれ落ちがなくなる。
【００１３】
また、左右カップの裏面の前中心からバック布の後端縁に沿って後中心まで同一素材の一連生地で形成されているから、胸部、肩部、背中部などにおいてよく沿ってフィットし、パワーにロスを生じることがない。また、パッドを用いることにより、バストが小さい女性やバストの形や大きさの違う女性、あるいは時期によってバストの大きさに変化が生じる女性などのバストに対応でき、ボリュームアップを図って美しいバストラインになる。
【図面の簡単な説明】
【００１４】
【図１】本発明の第１実施形態を示すブラジャーの斜視図である。
【図２】図１の背面側の斜視図である。
【図３】第１実施形態を示すブラジャーの背面図である。
【図４】本発明の第２実施形態を示すブラジャーの背面図である。
【図５】ポケット部の縦断面図である。
【図６】リフトアップ布とパッドとの関係を示す説明図である。
【発明を実施するための最良の形態】
【００１５】
以下に、本発明の第１実施の形態を添付の図１〜図３に基づいて説明すれば、ブラジャー１は、左右の乳房を覆うカップ２，２と、この両カップ２，２を連結するカップ下布３と、両カップ２，２の外縁に形成されるカップ脇布４，４と、背中に当接するバック布５，５とがそれぞれ縫合一体化されている。
【００１６】
６は熱融着ウレタン糸の編物からなる縦方向に伸縮するが横方向に伸縮し難いフリーカット地のリフトアップ布で、このリフトアップ布６は、カップ２の内面側の前中心から横方向に延びて屈曲部を経て上方に延びる略Ｌ字状に形成され下辺部、側辺部および上辺部を覆っており、側辺部の幅広部分はかなりのパワーがあって張り腰があるが、その先部の細い部分はそれだけパワーが落ちてしなやかになっている。そして、リフトアップ布６の外側縁のみを縫着してカップ２と一体にしてある。ここでいうフリーカット地とは、裁断したままの状態でも、切断縁が解れの生じない縁始末不要の生地をさしている。
【００１７】
前記リフトアップ布６は、カップ上端縁を越えて延びており幅広の部分を形成して肩紐７とし、その肩紐７にはアジャスター８が取り付けられ肩紐７の長さを調節できるようになっている。さらにその先部は細幅テープ９に形成され、バック布５の後端縁５aに沿って縫着されている。すなわち、リフトアップ布６は、左右カップ２，２の内面の前中心から、バック布５の後端縁５aの後中心まで同一素材で一連の生地で構成されている。
【００１８】
上記のように構成されたブラジャー１を着用すると、リフトアップ布６の先端部６ａが裏面の前中心から下辺部、側辺部、上辺部を重ね外側縁のみを縫着してあるから、バストの下部を充分に持ち上げて保持すると共に、内側に引き寄せ上げられてバスト間に谷間ができ、バストアップした状態となりバストラインを美しく見せることができる。また、肩紐７はリフトアップ布６と同一の素材で、しかも一連の生地になっているから、着用時のブラジャーに加わる力および肩紐７に加わる力のバランスがよく、肩に負担を与えずぴったりとフィットしてズレ動いたり肩から外れたりすることがなくなる。
【００１９】
つぎに、図４〜図６に示すのは、本発明の第２実施の形態を示すものであり、左右の乳房を覆うカップ２，２、カップを連結するカップ下布３、カップ脇布４，４、背中に当接するバック布５がそれぞれ縫合一体化されているブラジャー１である点は前記実施の形態１と同じである。また縦方向に伸縮するが横方向に伸縮し難いフリーカット地のリフトアップ布６を、カップ２の内面の前中心から下辺部、側辺部および上辺部を覆う略Ｌ字状で、かつリフトアップ布６の外側縁のみを縫着してカップ２と一体にしてある点、およびカップ上端縁を越えて延び幅広の部分を形成して肩紐７に、その肩紐７にアジャスター８を取り付けて肩紐７の長さを調節でき、さらにその肩紐の先部の細幅テープ９をバック布５の後端縁５aに沿って後中心まで延ばし同一素材の一連生地で縫着されている点についても前記第１実施の形態と全く同じであり、同一部分に同一符号を付して説明は省略してある。
【００２０】
相違している点は、カップ２にモールド製のパッド１０が収容されている点である。すなわち、カップ部２を表布２ａと裏布２ｂとで構成し、その表布２ａと裏布  ２ｂの間をパッド１０の収容するポケット部１１とすると共に、裏布２ａの一側部にパッド１０を出し入れするための開口部１２を設けたものである。ポケット部  １１は、収納されたパッド１０が胸中心側へ可動できる余裕のある大きさに形成されている。
【００２１】
上記のように構成されたブラジャーを着用すると、図６に示すように、リフトアップ布６の上端部６ａが矢印Ａ方向に、下端部６ｂが矢印Ｂ方向に引っ張られ、それに伴って中間部６ｃが矢印Ｃ方向の力が発生しカップ２をサポートする。そして、カップ２内の表布２ａと裏布２ｂとの間のポケット１１に収容されているパッド１０は、リフトアップ布６に縫着されていないので、リフトアップ布６によって内側に寄せられたり、バストボリュームにあわせてフレシキブルに可動することになり、小さい乳房、左右の乳房の形や大きさの違い、あるいは時期によって乳房の大きさが変化する場合などにも対応でき美しいバストラインを造形することができる。ボリュームアップする必要がない着用者の場合には、ポケット部の中からモールドパットを取り出しておけばよい。
【００２２】
以上、本発明は、カップ付き衣類として、ブラジャーの例で説明したが、本発明は上記実施の形態に限定されるものではなく、発明の目的を達成でき、且つ発明の要旨を逸脱しない範囲内で種々の設計変更が可能であり、それらも全て本発明の範囲内に包含されるものである。
【産業上の利用可能性】
【００２３】
本発明は、ブラジャーだけでなく、ボディスーツ、ブラスリップ、ブラトップス、レオタード、水着などバストカップとショルダーストラップを備えた各種の女性用衣類に適用可能である。
【符号の説明】
【００２４】
１    ブラジャー
２    カップ
２ａ  表布
２ｂ  裏布
５    バック布６  
５ａ  バック布後端縁
６    リフトアップ布
７    肩紐
１０  パッド
１１  ポケット部
【図１】
0005281621.tif 000002
【図２】
0005281621.tif 000003
【図３】
0005281621.tif 000004
【図４】
0005281621.tif 000005
【図５】
0005281621.tif 000006
【図６】
0005281621.tif 000007